(57)【要約】  頭皮のマッサージ効果と毛穴内部の洗浄効果の両方を同時に満足することができ、さらに、内部を中空状に構成した場合であっても、内部に浸入した水等を容易に排水することが可能な頭皮毛穴洗浄用ブラシ及び頭皮毛穴洗浄用具を提供する。少なくとも一端側の形状がテーパ状とされ、先端部が頭皮毛穴よりも細い直径とされた用毛３１が複数束ねられてなる毛束３と、該毛束３が植毛される植毛穴２２が複数設けられた植毛面２１を有する基台２とを具備し、植毛穴２２に、該植毛穴２２内部が外部から観察されない状態の密度で毛束３が植毛されてなり、植毛面２１上において、複数の毛束３の先端部が略一つの平面をなしており、且つ、植毛穴２２が密集する植毛領域と無植毛領域とが各々配されてなる。
2008143131.tif 000002
【特許請求の範囲】
【請求項１】
少なくとも一端側の形状がテーパ状とされ、先端部が頭皮毛穴よりも細い直径とされた用毛が複数束ねられてなる毛束と、該毛束が植毛される植毛穴が複数設けられた植毛面を有する基台とを具備し、前記植毛穴に、該植毛穴内部が外部から観察されない状態の密度で前記毛束が植毛されてなる頭皮毛穴洗浄用ブラシであって、
前記植毛面上において、前記複数の毛束の先端部が略一つの平面をなしており、且つ、前記植毛穴が密集する植毛領域と無植毛領域とが各々配されてなることを特徴とする頭皮毛穴洗浄用ブラシ。
【請求項２】
前記基台に備えられる植毛面において、前記植毛穴を２〜６個で１ユニットとし、１ユニット内における任意の２箇所の植毛穴の中心間距離が、最短部で２ｍｍ以上、最長部で７ｍｍ未満とされ、且つ、任意のユニットの中心点から、最も近いユニットの中心点までの距離が７ｍｍ以上１０ｍｍ未満の範囲とされていることを特徴とする請求項１に記載の頭皮毛穴洗浄用ブラシ。
【請求項３】
さらに、開口部を有する中空状に形成された筐体が備えられるとともに、該筐体の前記開口部に前記基台が一体に取り付けられており、
前記植毛面の略中央部及び／又は周縁部に、前記基台を貫通するように、少なくとも一以上の貫通孔が設けられていることを特徴とする請求項１又は２に記載の頭皮毛穴洗浄用ブラシ。
【請求項４】
請求項１〜３の何れか１項に記載の頭皮毛穴洗浄用ブラシが備えられ、頭皮の毛穴洗浄に用いられる頭皮毛穴洗浄用具であって、
液温２５℃における粘度が１５Ｐａ・ｓ以上４０Ｐａ・ｓ未満の洗浄剤組成物を、頭皮毛穴洗浄用ブラシに備えられ、略一つの平面をなす複数の毛束の先端部に保持した構成とされて用いられることを特徴とする頭皮毛穴洗浄用具。
【発明の詳細な説明】
【技術分野】
【０００１】
本発明は、先端部が頭皮毛穴よりも細い直径とされた用毛を用いて、頭皮表面のみならず毛穴内部の汚れも効果的に除去することができる頭皮毛穴洗浄用ブラシに関し、特に、頭髪や頭皮地肌を洗浄するための洗浄剤と共に使用した場合に、高い洗浄効果と優れた使用性が得られる頭皮毛穴洗浄用ブラシ及び頭皮毛穴洗浄用具に関する。
【背景技術】
【０００２】
従来から、頭髪や頭皮を洗浄するためのブラシとして種々のものが知られており、例えば、ブリッスル（用毛）先端に球状体を有するブラシ（特許文献１を参照）や、球状体を有する用毛と球状体を有しない用毛を組合せたもの（特許文献２を参照）、長さ方向の外周面が凹曲面である略円錐形の用毛を有するもの（特許文献３を参照）、用毛先端が頭皮に触れて柔軟に屈曲する小突起のあるもの（特許文献４を参照）、用毛先端が開口しているもの（特許文献５を参照）等が提案されている。
しかしながら、これら従来のブラシでは、何れも、洗髪時において用毛先端の頭皮に対するマッサージ効果を有するものの、用毛先端が太いために頭皮の毛穴内部を洗浄することができず、毛穴から排出されて汚れや匂いの原因となる皮脂を除去することができないという問題があった。【０００３】
また、先端が細い用毛と太径用毛とが組み合わせられてなる頭皮毛穴洗浄用ブラシとして、第１の基板に直径が１〜２００μｍの樹脂製の細径用毛の束と太径用毛用の挿通穴を交互に形成し、第２の基板に直径１〜５ｍｍ程度の樹脂製の太径用毛を形成し、第１の基板の挿通穴に第２の基板の太径用毛を挿通して第１、第２の基板を組み合わせた構成のものが提案されている（例えば、特許文献６を参照）。
また、くし通りが良好で容易に頭髪の絡みを解くことができ、特に、シャンプーや育毛剤等と併用することにより、頭髪や頭皮表面のみならず毛穴内の洗浄をも可能とする頭皮毛穴洗浄用ブラシとして、基台上に断面楕円形状の用毛を定間隔で複数並設し、これら断面楕円形状の用毛の間に細径用毛の束が植毛されてなるものが提案されている（例えば、特許文献７、８を参照）。【０００４】
特許文献６〜８に記載の頭皮毛穴洗浄用ブラシによれば、太径の用毛が植毛されてなるものなので、高い頭皮のマッサージ効果が得られる。しかしながら、特許文献６〜８の頭皮毛穴洗浄用ブラシでは、太径用毛の先端部が毛穴よりも大きな直径であるため、毛穴内に侵入させるのが困難となり、毛穴洗浄効果が得られにくいという問題がある。また、太径用毛の間に設けられている細径用毛の植毛密度が低いために洗浄力が不足し、頭皮の毛穴内部を洗浄することができず、特許文献１〜５に記載の頭皮毛穴洗浄用ブラシと同様、毛穴から排出されて汚れや匂いの原因となる皮脂を除去することができないという問題があった。【０００５】
このような、毛穴内部の洗浄力の問題を解決するため、先端部が頭皮毛穴よりも細い直径とされた用毛を用いることにより、毛穴内部の汚れを効果的に除去できるとともに、用毛が複数束ねられてなる毛束の間が３〜３０ｍｍの範囲で等間隔とされた頭皮毛穴洗浄用ブラシが提案されている（例えば、特許文献９）。しかしながら、特許文献９に記載の頭皮毛穴洗浄用ブラシでは、細径用毛が用いられることにより、毛穴内部の洗浄効果に優れるものの、頭皮に対するマッサージ効果が低いという問題がある。【０００６】
また、頭皮に当接する突起物が備えられる基台が筐体に取り付けられてなる構造の頭皮毛穴洗浄用ブラシでは、筐体内部が中空状に形成されている場合、洗浄水の他シャンプーや育毛剤等の組成物が内部に浸入して滞留するため、筐体内部の汚染やカビ等が発生する他、基台表面側の用毛等にも汚染が生じる虞があり、頭皮毛穴洗浄用ブラシを清潔に保つのが困難になるという問題がある。【０００７】
ここで、基台における突起物が取り付けられる部分、つまり用毛が植毛される植毛部の材質を変形自在な材質とし、筐体に対して容易に脱着可能な構成とすることにより、筐体内部に滞留した水や組成物を用意に排水することができ、清潔に保つことが可能となる。
しかしながら、用毛が複数束ねられてなる毛束を用いてブラシを構成する場合、植毛部（基台）の材質として、ポリプロピレン等に代表される硬質の樹脂を使用する必要があり、上述のような、部材の変形による脱着を行なうことが困難となる。
このような問題を解決するため、例えば、中空上に構成される頭皮毛穴洗浄用ブラシの接合部位等を完全に塞ぎ、密封状態として内部への水や組成物の浸入を防止することが考えられるが、このような密封された構成の基台を製造する場合、技術的難易度が高く、また、製造コストが上昇するため、商品としての実用化が困難であるという問題があった。
【特許文献１】実開昭５４−８７２７２号公報
【特許文献２】実開昭５４−１６６７３号公報
【特許文献３】実開平３−１０２９２８号公報
【特許文献４】特開２００５−１６０６８４号公報
【特許文献５】実用新案登録第３１１３００２号公報
【特許文献６】特開平１１−７００１９号公報
【特許文献７】特開２０００−６０６４０号公報
【特許文献８】特開２０００−１３９５６７号公報
【特許文献９】特開２００６−１３６３６０号公報
【発明の開示】
【発明が解決しようとする課題】
【０００８】
本発明は上記問題に鑑みてなされたものであり、頭皮のマッサージ効果と毛穴内部の洗浄効果の両方を同時に満足することができ、さらに、内部を中空状に構成した場合であっても、内部に浸入した水等を容易に排水することが可能な頭皮毛穴洗浄用ブラシ及び頭皮毛穴洗浄用具を提供することを目的とする。
【課題を解決するための手段】
【０００９】
上記問題を解決するため、本発明者等が鋭意検討した結果、用毛が複数束ねられてなる毛束の植毛面において、植毛が密な領域と疎な領域とを適宜配することにより、頭皮のマッサージ効果と毛穴内部の洗浄効果の両方を同時に満足することができることを見出し、また、基台内部と外部との間を貫通して設けられる貫通孔を、適正位置に配した構成とすることにより、内部への浸入水等を効果的に排出することが可能となることを見出し、本発明を完成した。【００１０】
即ち、本発明は、少なくとも一端側の形状がテーパ状とされ、先端部が頭皮毛穴よりも細い直径とされた用毛が複数束ねられてなる毛束と、該毛束が植毛される植毛穴が複数設けられた植毛面を有する基台とを具備し、前記植毛穴に、該植毛穴内部が外部から観察されない状態の密度で前記毛束が植毛されてなる頭皮毛穴洗浄用ブラシであって、前記植毛面上において、前記複数の毛束の先端部が略一つの平面をなしており、且つ、前記植毛穴が密集する植毛領域と無植毛領域とが各々配されてなることを特徴とする頭皮毛穴洗浄用ブラシを提供する。
また、本発明の頭皮毛穴洗浄用ブラシは、前記基台に備えられる植毛面において、前記植毛穴を２〜６個で１ユニットとし、１ユニット内における任意の２箇所の植毛穴の中心間距離が、最短部で２ｍｍ以上、最長部で７ｍｍ未満とされ、且つ、任意のユニットの中心点から、最も近いユニットの中心点までの距離が７ｍｍ以上１０ｍｍ未満の範囲とされていることが好ましい。【００１１】
また、本発明の頭皮毛穴洗浄用ブラシは、さらに、開口部を有する中空状に形成された筐体が備えられるとともに、該筐体の前記開口部に前記基台が一体に取り付けられており、前記植毛面の略中央部及び／又は周縁部に、前記基台を貫通するように、少なくとも一以上の貫通孔が設けられていることが好ましい。【００１２】
本発明は、上記頭皮毛穴洗浄用ブラシが備えられ、頭皮の毛穴洗浄に用いられる頭皮毛穴洗浄用具であって、液温２５℃における粘度が１５Ｐａ・ｓ以上４０Ｐａ・ｓ未満の洗浄剤組成物を、頭皮毛穴洗浄用ブラシに備えられ、略一つの平面をなす複数の毛束の先端部に保持した構成とされて用いられることを特徴とする頭皮毛穴洗浄用具を提供する。
【発明の効果】
【００１３】
本発明の頭皮毛穴洗浄用ブラシによれば、植毛面上において、毛束の先端部が略一つの平面をなしており、且つ、植毛穴が密集する植毛領域と無植毛領域とが各々配されてなる構成により、頭皮に適度な刺激感が与えられるので、植毛穴、つまり複数の毛束が基台上において均等に分布された場合に比べ、高いマッサージ効果が得られるとともに、高い頭皮毛穴洗浄効果が得られる。
また、中空状に形成された筐体の開口部に上記基台が一体に取り付けられ、植毛面の略中央部及び／又は周縁部に、基台を貫通するように少なくとも一以上の貫通孔が設けられた構成とすることにより、内部に浸入した洗浄水や洗浄液を容易に排出することができるので、汚れやカビの発生を抑制することができ、清潔な状態を保持することが可能な頭皮毛穴洗浄用ブラシが実現できる。
また、本発明の頭皮毛穴洗浄用具によれば、植毛面上において、植毛穴が密集する植毛領域と無植毛領域とが各々配されてなる上記構成の頭皮毛穴洗浄用ブラシが備えられ、液温２５℃における粘度が１５Ｐａ・ｓ以上４０Ｐａ・ｓ未満の洗浄剤組成物を、頭皮毛穴洗浄用ブラシにおいて略一つの平面をなす複数の毛束の先端部に保持した構成とされて用いられるものなので、洗浄剤組成物が毛束の先端部から流下するのが抑制され、使用性が向上するとともに、頭皮毛穴内部の汚れ等を効果的に除去することが可能となる。
【図面の簡単な説明】
【００１４】
【図１Ａ】本発明に係る頭皮毛穴洗浄用ブラシの一例を説明するための模式図であり、側面図を示す平面図である。
【図１Ｂ】本発明に係る頭皮毛穴洗浄用ブラシの一例を説明するための模式図であり、植毛面を示す平面図である。
【図２】本発明に係る頭皮毛穴洗浄用ブラシの一例を説明するための模式図であり、図１Ｂにおける植毛面をさらに詳細に示す拡大図である。
【図３】本発明に係る頭皮毛穴洗浄用ブラシの一例を説明するための模式図であり、用毛の先端部を示す部分拡大図である。
【図４】本発明に係る頭皮毛穴洗浄用ブラシの一例を説明するための模式図であり、用毛が基台に植毛され、毛束とされた状態を示す概略図である。
【図５Ａ】本発明に係る頭皮毛穴洗浄用ブラシの一例を説明するための模式図であり、植毛穴の各種配列パターンを示す概略図である。
【図５Ｂ】本発明に係る頭皮毛穴洗浄用ブラシの一例を説明するための模式図であり、植毛穴の各種配列パターンを示す概略図である。
【図５Ｃ】本発明に係る頭皮毛穴洗浄用ブラシの一例を説明するための模式図であり、植毛穴の各種配列パターンを示す概略図である。
【図５Ｄ】本発明に係る頭皮毛穴洗浄用ブラシの一例を説明するための模式図であり、植毛穴の各種配列パターンを示す概略図である。
【図５Ｅ】本発明に係る頭皮毛穴洗浄用ブラシの一例を説明するための模式図であり、植毛穴の各種配列パターンを示す概略図である。
【図５Ｆ】本発明に係る頭皮毛穴洗浄用ブラシの一例を説明するための模式図であり、植毛穴の各種配列パターンを示す概略図である。
【図５Ｇ】本発明に係る頭皮毛穴洗浄用ブラシの一例を説明するための模式図であり、植毛穴の各種配列パターンを示す概略図である。
【図５Ｈ】本発明に係る頭皮毛穴洗浄用ブラシの一例を説明するための模式図であり、植毛穴の各種配列パターンを示す概略図である。
【図６Ａ】本発明に係る頭皮毛穴洗浄用具の一例を説明するための模式図であり、頭皮毛穴洗浄用ブラシに備えられる用毛の先端部に、洗浄剤組成物を保持させた状態を示す概略図である。
【図６Ｂ】本発明に係る頭皮毛穴洗浄用具の一例を説明するための模式図であり、頭皮毛穴洗浄用ブラシに備えられる用毛の先端部に、洗浄剤組成物を保持させた状態を示す概略図である。
【図７Ａ】従来の頭皮毛穴洗浄用ブラシを説明する模式図である。
【図７Ｂ】従来の頭皮毛穴洗浄用ブラシを説明する模式図である。
【符号の説明】
【００１５】
１      頭皮毛穴洗浄用ブラシ
２      基台
２１    植毛面
２１ａ  貫通孔
２１ｂ、２１ｃ  切り欠き部（貫通穴）
２２    植毛穴
３      毛束
３１    用毛
３１ａ  先端部
３１ｂ  端面
４      筐体  
４ａ    中空部
４１    開口部
４２    把持部
【発明を実施するための最良の形態】
【００１６】
以下、本発明に係る頭皮毛穴洗浄用ブラシ（以下、洗浄用ブラシと略称することがある）及び頭皮洗浄用器具の一実施形態について、図１〜５を適宜参照しながら説明する。
図１Ａ、図１Ｂは、本発明に係る洗浄用ブラシの一例を示す模式図であり、図２は、図１Ｂの主要部を拡大して詳細に示した図である。
また、図３は、頭皮毛穴洗浄用ブラシの用毛に用いられるフィラメントの一例を示す概略図であり、図４は、基台上に植毛された状態の用毛（毛束）を示す概略図である。また、図５Ａ〜図５Ｈは、頭皮毛穴洗浄用ブラシの植毛面における用毛の配列パターンの他例を示す図である。【００１７】
［頭皮毛穴洗浄用ブラシ］
本実施形態の頭皮毛穴洗浄用ブラシ１は、少なくとも一端側の形状がテーパ状とされ、先端部３１ａが頭皮毛穴よりも細い直径とされた用毛３１が複数束ねられてなる毛束３と、該毛束３が植毛される植毛穴２２が複数設けられた植毛面２１を有する基台２とを具備し、植毛穴２２に、該植毛穴２２内部が外部から観察されない状態の密度で毛束３が植毛されてなり、植毛面２１上において、複数の毛束３の先端部（用毛３１の先端部３１ａを参照）が略一つの平面をなしており、且つ、植毛穴２２が密集する植毛領域Ａと無植毛領域Ｂ（図２参照）とが各々配されて概略構成されている。
また、本実施形態の洗浄用ブラシ１は、図１Ａ及び図１Ｂに示すように、さらに、開口部４１を有する中空状（図１Ａ及び図１Ｂ、図２の中空部４ａ参照）に形成された筐体４が備えられるとともに、該筐体４の開口部４１に、基台２が一体に取り付けられてなる。また、基台２には、植毛面２１の略中央部に、基台２を貫通する貫通孔２１ａが設けられており、また、植毛面２１の周縁部に切り欠き部２１ｂ、２１ｃが形成されることにより、この切り欠き部２１ｂ、２１ｃと筐体４の開口部４１とからなる貫通孔が構成される。【００１８】
基台２は、用毛３１からなる複数の毛束３が取り付けられるもので、植毛面２１に、毛束３を植毛するため植毛穴２２が複数形成される。また、図示例の基台２は、平面視略楕円形の平板状に形成されている。
基台２の材質としては、ポリプロピレン等、一般的な硬質樹脂材料を何ら制限無く用いることができる。【００１９】
植毛穴２２の大きさや形状は特に制限されず、例えば、一穴あたり１０〜５０本程度の用毛を植毛するのに必要な大きさであれば良い。また、植毛穴２２の形状としては、一般的に円形とすることができるが、例えば、特開２０００−５０９５５号公報等に示されているように、ブラシの品質向上や製造効率の向上を目的として、非円形状に形成しても良い。【００２０】
また、植毛穴２２は、植毛面２１上における配列パターンを毛束３の植毛パターンに応じて形成する必要があり、例えば、図２に示す例では、所定間隔で組み合わされた植毛穴２２が４穴で１ユニットとされており、これら各ユニットが、植毛面２１上において適宜配列され、本実施形態では、詳細を後述するが、植毛穴２２が密集する植毛領域Ａと無植毛領域Ｂとが各々配されている。【００２１】
また、図示例の基台２には、後述の筐体４に取り付けるための嵌合爪２３が、楕円形状とされた基台２の短寸側の経線上で向かい合うように配置されているが、基台２を筐体４に取り付けるための手段はこれには限定されない。例えば、嵌合爪が、基台上において図示例とは異なる位置に配置されていても良いし、基台をねじ止め等によって筐体に取り付ける構成としても良い。【００２２】
また、図示例の基台２には、上述したように、貫通孔２１ａが基台２を貫通するように設けられており、また、植毛面２１の周縁部に切り欠き部２１ｂ、２１ｃが形成されることにより、この切り欠き部２１ｂ、２１ｃと筐体４の開口部４１とからなる貫通孔が構成され、後述の筐体４に基台２を取り付けた際、洗浄用ブラシ１の内部（図１Ａ及び図１Ｂに示す内部空間４ａ参照）が外部に開放されるように構成されている。【００２３】
毛束３は、用毛３１が複数束ねられてなる。
用毛３１は、図３に示すように、少なくとも一端側の形状がテーパ状とされ、図示例では、両端の先端部３１ａがテーパ状に形成されている。また、先端部３１ａは、少なくともその端面３１ｂ付近における直径ｄが、頭皮の毛穴よりも細い径とされている。【００２４】
図示例のように、用毛３１をなすフィラメントについて、各々の先端部３１ａをテーパ形状に構成することにより、頭皮上の毛髪に先端部３１ａの毛先（端面３１ｂ参照）が当たった際に生じる微弱な力であっても先端部３１ａが容易に曲がるので、毛先が毛髪間をすり抜けるように頭皮の毛穴に到達することが可能となる。
なお、テーパ形状とされた用毛は先端部の強度が弱いため、極度に強い力を加えて頭皮の洗浄やマッサージを行った際に毛先が曲がってしまい、毛穴の洗浄を行うことが困難となることがある。このため、頭皮洗浄時に使用者がブラシに加える荷重としては、概ね３００〜１０００ｇ程度とすることが好ましい。【００２５】
用毛３１は、上記した先端部３１ａの端面３１ｂから０．１ｍｍの位置における直径ｄが、５μｍ〜５０μｍの範囲であることが好ましい。先端部３１ａの端面３１ｂ付近における直径ｄをこの範囲とすることにより、用毛３１が効率良く毛髪の毛穴内部に入り込み、効果的に洗浄することが可能となる。【００２６】
ここで、従来の構成の頭皮毛穴用洗浄ブラシにおいても、太径の用毛を使用せずに細径の用毛のみが密に植毛された構成とすれば、頭皮毛穴を洗浄することは可能と考えられる。しかしながら、人間の毛髪の直径は、人種、性別、年齢、くせ毛の有無などによって異なるものの、一般的な日本人では４０〜１００μｍ程度であり、平均７０μｍ程度であるので、数本の毛髪が生える１つの毛穴の大きさは、毛髪の直径と同等かそれ以上の大きさと考えられ、平均７０μｍ以上であると考えられる。
しかしながら、上述のような、毛穴のサイズよりも細い直径とされ、毛穴に挿入可能な径とされた細径用毛を植毛面に対して密に植毛してブラシを構成した場合、洗髪時等に頭皮の毛根にブラシの毛束を押しつけようとしても、通常のサイズの毛髪を有する人にあっては、多数の毛髪が細径用毛の進行の阻害となり易い。このため、細径用毛が容易に撓んでしまい、細径用毛が毛穴に到達できる本数が少なくなるので、目的の毛穴洗浄効果が得られにくいという問題があった。
本発明の頭皮毛穴洗浄用ブラシでは、毛穴内部の脂質等の汚れを除去するため、先端部３１ａが毛穴の直径より細いブラシ用毛を使用し、且つ、用毛３１が束ねられてなる毛束３を、詳細を後述するパターンで植毛することにより、用毛３１（毛束３）が毛髪に動きを阻害されることなく頭皮の毛穴に行き届き易くなり、優れた洗浄効果が得られる。また、頭皮から抜けた毛髪が用毛３１に絡み難く、仮に絡んだ場合であっても容易に解除することができるので、優れたメンテナンス性が得られる。【００２７】
毛束３をなす用毛３１の毛丈は、５〜５０ｍｍの範囲とすることが好ましい。より好ましくは、５〜３０ｍｍの範囲である。
用毛の毛丈が５ｍｍよりも短いと、毛髪が障害となって用毛（毛束）が頭皮毛穴に届かない虞がある。また、用毛３１の毛丈が５０ｍｍよりも長いと、用毛が曲がりやすくなり、先端部が頭皮の地肌や毛穴に届き難くなる。
なお、植毛された用毛３１（毛束３）の毛丈に多少のばらつきが生じる場合もあるが、植毛された全用毛３１の内の概ね９割以上が、上記５〜５０ｍｍの毛丈の範囲に入っていることが品質上好ましい。【００２８】
植毛穴２２の一穴あたりの用毛の植毛数は、植毛穴２２内部が外部から観察できない状態の密度とすることが好ましく、具体的には、一穴あたりの用毛３１の植毛数が１０〜５０本であることが好ましい。用毛３１の植毛数が、植毛穴３２内部を外部から観察できる程度の少ない状態になると、毛束３に抜けた毛髪が絡みやすくなり、また、毛髪を除去し難くなるので好ましくない。また、植毛穴２２内に、洗髪時に使用する洗浄剤やリンス剤等が浸入して詰まり易くなるので、頭皮毛穴洗浄用ブラシの衛生上好ましくない。
これに対し、植毛穴２２内部が外部から観察できない状態の密度となる本数の用毛が植毛されてなる本発明に係る頭皮毛穴洗浄用ブラシでは、毛束３内に抜けた毛髪が絡みつくことがなく、また、植毛穴２２内部に観察可能な隙間がないので、洗浄剤等が浸入して詰まるのが抑制される。【００２９】
なお、植毛穴２２の断面積に対して用毛３１（毛束３）の植毛数が少ないと、用毛３１間に僅かな隙間が生じ、頭皮毛穴洗浄用ブラシの使用者によって個人差があるものの概ね７０μｍの太さである毛髪が用毛３１間の僅かな隙間に挟まれてしまい、極めて除去し難い状態となる虞がある。【００３０】
以下に、植毛穴２２に対する用毛３１の植毛密度の参考例を説明する。
例えば、直径が１．５ｍｍとされた植毛穴２２に、フィラメント中央部の直径が１９０μｍの用毛３１を植毛する場合、２１本の用毛３１を、厚さ０．２５ｍｍの平線で用毛３１の中央部で固定して植毛すると、植毛穴２２内部が外部から観察できない状態の密度とすることができる。このような植毛穴２２内の状態について、断面積で検討すると、植毛穴２２の断面積＝０．７５×０．７５×３．１４＝１．７７ｍｍ２に対し、用毛３１が占める断面積は、０．０９５×０．０９５×３．１４×２１×２＝１．１９ｍｍ２となり、植毛穴２２の断面積の内の６７％が用毛３１で占められている状態となる。
また、本発明者等が鋭意実験した結果、用毛３１の植毛数を１３本とした場合は、植毛穴２２の断面積に対して用毛３１の断面積が占める割合が４２％となり、この４２％という割合が、植毛穴２２内部が外部から観察されない状態と観察可能な状態との境界となることが見出された。植毛穴２２の断面積に対する用毛３１の断面積の占める割合が、境界である４２％未満になると、植毛穴２２内部が外部から観察可能な状態となり、このような状態においては、直径が概ね７０μｍ程度である毛髪が、用毛３１に絡みつきやすくなる。【００３１】
毛髪の絡み易さの点から考慮した場合、植毛穴２２の断面積に対する用毛３１の断面積の割合が、上記境界である４２％を下回ると毛髪が用毛３１に絡みつきやすくなることから、上記割合を４２％以上８５％以下とすることが好ましい。用毛２１が植毛穴２２内において占める割合が８５％を超えると、植毛穴２２を起点として基台２が割れやすくなるうえ、植毛された用毛３１が開く虞があり好ましくない。
また、植毛穴２２に対する植毛数が１０本よりも少ないと頭皮毛穴の洗浄効果が低下し、植毛数が５０本よりも多いと、径の大きな植毛穴を基台２に形成する必要があるため、植毛穴２２内に、洗髪時に使用する洗浄剤やリンス剤等が浸入して詰まり易くなり、頭皮毛穴洗浄用ブラシの衛生上好ましくない。
また、上記植毛数にばらつきが生じる場合もあるが、用毛３１（毛束３）が植毛された植毛穴２２内の概ね９割以上において、用毛３１の植毛数が１０〜５０本の範囲内とされていることが、品質上好ましい。【００３２】
本実施形態で用いられる用毛３１を構成するフィラメントの材料については、特に制限されないが、一般的な樹脂材質であるポリブチレンテレフタレート（ＰＢＴ）、ポリエチレンテレフタレート（ＰＥＴ）、ポリトリメチレンテレフタレート（ＰＴＴ）、ナイロン、ポリエステル等を用いることが好適である。また、例えば、特開平１１−２５３２３６に記載されているような、美観向上等を目的として、合成樹脂主体の素材に他成分を混合したものや、耐久性の向上を目的として抗菌剤等を添加したものを使用することも可能である。
なお、用毛３１の材質として金属等の硬い素材を用いる場合、フィラメント径が細いものでも強度を確保することができるため、図３又は図４に示すようなテーパ形状のフィラメントのみならず直毛状のものを用いることも可能である。しかしながら、このような直毛状の金属製フィラメントを用いた場合、ブラシ使用時に用毛が折れた際に欠損切断面が鋭利な形状となり、マッサージ時に頭皮の地肌を傷つけるため、安全性上好ましくない。【００３３】
なお、用毛３１に用いるフィラメントを図３に示すようなテーパ形状に加工する方法としては、特に制限されない。例えば、直毛形状のフィラメントを用い、薬品等を用いる従来公知の化学的方法で樹脂を溶解して先端をテーパ状に加工しても良いし、また、直毛形状の用毛の先端部周囲を機械加工によって研削することでテーパ状に加工することも可能である。【００３４】
また、上記用毛３１が複数束ねられてなる毛束３を、基台２の植毛穴２２に植毛する方法としては、例えば、一般的に歯刷子製造等に用いられる植毛装置を転用し、何ら制限なく用いることが可能であり、このような植毛装置の形態についても何ら制限されない。このような植毛装置としては、例えば、特開２０００−９３２３３号公報等に記載の製造装置を使用することが可能である。【００３５】
そして、毛束３（用毛３１）が植毛された基台２は、通常、取っ手等の把持部材が取り付けられ、包装されてブラシ製品とされるが、本実施形態では、基台２を後述の筐体４に取り付けることにより、洗浄用ブラシ１とする。ここで、例えば、特開２００１−４６１４９号公報等に示されるように、植毛後のブラシ（毛束３）の品質を向上させる等の目的で、中間品である毛束３植毛後の基台２に対して、冷却或いは加熱による熱処理を施す等、何らかの処理を施す方法についても、本発明の効果を損なわない範囲で適用することが可能である。【００３６】
筐体４は、開口部４１を有するとともに、内部が中空部４ａとされた中空状に形成され、図示例では、開口部４１と反対側に把持部４２が形成されてなる。また、開口部４１には、上述した基台２に備えられる嵌合爪２３が嵌め込まれる嵌合部４１ａが、基台２組み付け時の嵌合爪２３の位置に合わせるように配されている。
筐体４は、上述したように、開口部４１に基台２が一体に取り付けられることにより、頭皮毛穴洗浄用ブラシ１の本体或いは把持部材として機能するものであり、ポリスチレン系樹脂等、従来公知の材料を何ら制限無く用いて構成することができる。
また、図示例の把持部４２は、使用者が片手で掴んで操作することができるように、先端部に膨らみが持たされた形状とされているが、これには限定されず、把持部の形状や大きさについては、適宜決定することができる。【００３７】
「毛束の配列形態（植毛穴の配列パターン）」
本実施形態の頭皮毛穴洗浄用ブラシ１では、上述したように、植毛面２１上において、複数の毛束３の先端部（用毛３１の先端部３１ａ参照）が略一つの平面をなしており、且つ、植毛面２１において、植毛穴２２が密集する植毛領域Ａと無植毛領域Ｂとが各々配されて構成される。【００３８】
本実施形態では、植毛面２１上において、植毛穴２２を２〜６個で１ユニットとし、１ユニット内における任意の２箇所の植毛穴２２の中心間距離が、最短部距離Ｌ１で２ｍｍ以上、最長部距離Ｌ２で７ｍｍ未満とされ、且つ、任意のユニットの中心点から、最も近いユニットの中心点までの最短中心点距離が７ｍｍ以上１０ｍｍ未満の範囲として構成されることが好ましい。図２に示す例では、植毛穴２２が正方形状に四穴配置されることで１ユニットとされ、１ユニット内における任意の２箇所の植毛穴２２の中心間距離が、最短部距離Ｌ１で３ｍｍ、最長部距離Ｌ２で約４．２４ｍｍとされ、最も近いユニット中心点間の最短中心点距離Ｌ３が、最短部で９ｍｍとされており、次いで近い距離にあるユニット中心点間の次短中心点距離Ｌ４が約１２．７ｍｍとされている。また、図示例では、各ユニット間の隙間寸法Ｓが、植毛穴２２の中心間距離で６ｍｍとされている。【００３９】
本実施形態では、上述のような植毛穴２２の配列形態とすることにより、図２に例示するように、植毛面２１上において、植毛領域Ａと無植毛領域Ｂとが配される構成とすることが好ましい。
本発明で説明する植毛領域Ａとは、植毛穴２２が密集する領域、つまり、植毛穴２２に毛束３（用毛３１）が植毛されることによって該毛束３が密集する領域であり、上述のように、植毛穴２２が比較的近距離のユニット単位で配されることで構成される。
一方、無植毛領域Ｂとは、植毛面２１上において、植毛穴２２が設けられていない領域あるいは植毛穴２２が疎な状態で配されている領域であり、毛束３（用毛３１）が植毛されていないか、あるいは、疎な状態で植毛された領域である。
つまり、図２に示す例では、四穴の植毛穴２２からなる各ユニットが植毛領域Ａであり、各ユニットからなる植毛領域Ａ間の隙間領域が無植毛領域Ｂである。
本発明では、上述のように、植毛面２１上において植毛領域Ａと無植毛領域Ｂとが配された構成により、植毛穴２２、つまり複数の毛束３が均等に分布された場合に比べ、高いマッサージ効果が得られるとともに、高い頭皮毛穴洗浄効果が得られる。【００４０】
従来の構成の頭皮毛穴洗浄用ブラシのように、植毛穴を密集させ過ぎた状態で均等配置すると、毛束の頭皮への当たり心地が弱すぎて洗浄感が得られ難い。逆に、無植毛領域が多過ぎると、頭皮への当たりが強すぎて使用者が痛みを感じ、使い心地が良くないうえに、洗浄剤等を用毛の先端部に保持させることが困難となり、用毛の先端部が頭皮毛穴に入り込む際に洗浄剤を伴わないため、汚れの洗浄実感が得られないという問題がある。
本発明者等が鋭意研究したところ、充分な汚れの洗浄実感とマッサージ効果を同時に得られる条件として、３〜５穴の植毛穴２２、より好ましくは４〜５穴の植毛穴２２を１ユニットとし、この場合の１ユニット内における任意の２つの植毛穴２２の中心間距離最短部Ｌ１を２ｍｍ以上、最長部Ｌ２を７ｍｍ未満、より好ましくは最短部を２．５ｍｍ以上、最長部を４．５ｍｍ未満に構成するとともに、任意のユニットの中心点から最も近いユニットの中心点までの距離Ｌ３を７ｍｍ以上１０ｍｍ未満、より好ましくは８ｍｍ以上９．５ｍｍ未満で構成することが重要であることが明らかとなった。【００４１】
１ユニットあたりの植毛穴２２の穴数が２未満の場合、頭皮への当たり心地が悪く充分なマッサージ効果が得られない。逆に、１ユニットあたりの植毛穴２２の穴数を７以上にすると、植毛面２１上に配される各ユニット内の毛束３が略面接触状態で頭皮に接するためにマッサージ効果が得られず、また、用毛が効率的に頭皮毛穴に進入できないため、毛穴汚れの除去、洗浄効果が充分に得られない。【００４２】
１ユニット内における任意の２つの植毛穴２２の中心間の距離Ｌ１の最短部が２ｍｍ未満だと、各ユニット内の毛束３が面接触状態で頭皮に接するためにマッサージ効果が得られず、また、用毛が効率的に頭皮毛穴に進入できないため、毛穴汚れの除去、洗浄効果が充分に得られない。１ユニット内の任意の２つの植毛穴２２の中心間の距離の最長部Ｌ２が７ｍｍ以上だと、頭皮への当たり心地が低下する。【００４３】
任意のユニットの中心点から最も近いユニットの中心点までの距離Ｌ３が７ｍｍ未満の場合、植毛穴を密集させ過ぎた状態となり、毛束の頭皮への当たり心地が弱すぎて洗浄感が得られ難い。また、任意のユニットの中心点から最も近いユニットの中心点までの距離が１０ｍｍ以上の場合には、無植毛領域Ｂが広くなりすぎ、洗浄剤等を用毛３１（毛束３）の先端部３１ａに保持させることが困難となる。
また、さらに、最も近いユニットに次いで近い距離にあるユニット、つまり２番目に近いユニットの中心点までの距離Ｌ４が１０ｍｍ以上１５ｍｍ未満として構成されていることが、より好ましく、このような構成とした場合には非常に高いマッサージ効果が得られる。【００４４】
なお、図１Ａ、図１Ｂ、及び図２に示す例の洗浄用ブラシ１では、植毛穴２２が正方形状に四穴配置されることで１ユニットに構成されているが、これには限定されない。例えば、図５Ａに示すように、植毛穴２２が正三角形状に三穴配置されたユニットとしても良いし、図５Ｂに示すように、中心に一穴が配された五穴の植毛穴２２からなるユニットとしても良い。また、図５Ｄに示すように、植毛穴２２が正方形状に四穴配置されてなる１ユニットの各々を、植毛面上において図２に比べて短めの中心間距離で配した構成としても良く、図５Ｆに示すように、長めの中心間距離で配した構成としても良い。また、図５Ｇに示すように、植毛穴２２が二穴配置されたユニットとしても良いし、図５Ｈに示すように、植毛穴２２が三穴ずつ並行で計６穴配されたユニットとすることもでき、適宜決定することが可能である。【００４５】
「貫通孔」
本実施形態の頭皮毛穴洗浄用ブラシ１は、植毛面２１の略中央部及び／又は周縁部に、基台２を貫通するように、少なくとも一以上の貫通孔が設けられた構成とされ、図１Ｂに示す例では、植毛面２１の略中央部に円形状の貫通孔２１ａが設けられており、さらに、植毛面２１の周縁部に円弧状の切り欠き部２１ｂ、２１ｃが形成されることにより、この切り欠き部２１ｂ、２１ｃと筐体４の開口部４１とからなる貫通孔が構成される。【００４６】
本実施形態のように、頭皮に接触する毛束が植毛された基台と把持部を備えた筐体とが組み合わされ、内部が中空状とされた構成の洗浄用ブラシでは、内部に洗浄水や洗浄剤等が嵌合部等の隙間から浸入した場合、外部にこれら洗浄剤等が排出され難いため、内部汚染やカビが生じ、清潔に保つことが困難となる虞がある。
このような場合、例えば、毛束が植毛された基台を自在変形可能な材質から構成し、筐体に対して容易に脱着が可能な構造とすることにより、適宜基台を脱着することで内部に浸入した洗浄剤等を排出し、内部を清潔に保つことが可能になる。しかしながら、本発明のような用毛（毛束）が用いられた洗浄用ブラシの場合には、植毛される基台の材質としてポリプロピレン等のような硬質樹脂を用いる必要があるため、基台が容易に変形せず、脱着が困難となる。また、洗浄用ブラシの各接合部位を完全にシールすることにより、洗浄用ブラシ内部を密封状態として、内部への洗浄液等の浸入を防止する方法もあるが、技術的難易度が高く、また、製造コストが上昇するため、商品としての実用化が困難である。【００４７】
本実施形態では、植毛面２１の略中央部及び／又は周縁部に、基台２を貫通するように少なくとも一以上の貫通孔が設けられた構成とすることにより、例えば、接合部位等から洗浄液等が浸入した場合でも、貫通孔から容易に排出させることができ、内部に滞留することがない。これにより、洗浄用ブラシを常に清潔に保持することが可能となる。【００４８】
基台２を貫通するように設けられる上記貫通孔は、植毛面２１上において２箇所以上に設けられることがより好ましい。上述したように、図１Ｂに示す例では、植毛面２１上の３箇所に、貫通孔２１ａ、２１ｂ、２１ｃがそれぞれ設けられている。
上記貫通孔を、植毛面２１上において２箇所以上に設けた構成とすることにより、例えば、洗浄用ブラシ１の内部、つまり中空部４ａを洗浄する際、該中空部４ａ内において洗浄水を循環させるのが容易になる。【００４９】
また、上記貫通孔の面積は、植毛面２１の総面積に占める割合が３％以上２０％未満とされていることが好ましい。
貫通孔の面積の、植毛面２１総面積に占める割合が３％未満だと、中空部４ａ内に浸入した洗浄剤等を排出する効果が低下する虞があり、また、２０％以上だと、植毛面２１上における植毛部位が少なくなり、頭皮毛穴の洗浄効果が充分に発現しなくなる虞がある。【００５０】
なお、図示例では、上述したように、植毛面２１の略中央部に円形状の貫通孔２１ａが設けられており、また、植毛面２１の周縁部に円弧状の切り欠き部２１ｂ、２１ｃが形成されることにより、この切り欠き部２１ｂ、２１ｃと筐体４の開口部４１とからなる貫通孔が構成されているが、これは限定されず、貫通孔の形状や位置、大きさ等は適宜決定することが可能である。【００５１】
以上説明したように、本実施形態の頭皮毛穴洗浄用ブラシ１によれば、植毛面２１上において、複数の毛束３を構成する用毛３１の先端部３１ａが略一つの平面をなしており、且つ、植毛穴２２が密集する植毛領域Ａと無植毛領域Ｂとが各々配されてなる構成により、頭皮に適度な刺激感が与えられるので、植毛穴２２、つまり複数の毛束３が基台２上において均等に分布された場合に比べ、高いマッサージ効果が得られるとともに、高い頭皮毛穴洗浄効果が得られる。また、複数の毛束３を構成する用毛３１の先端部３１ａが略一つの平面を構成しているので、特定の用毛３１のみが頭皮に強く接触するのが抑制され、頭皮を傷めることがなく、また、使い心地が向上する。
また、本実施形態の頭皮毛穴洗浄用ブラシ１は、中空状に形成された筐体４の開口部４１に基台２が一体に取り付けられ、植毛面２１の略中央部及び／又は周縁部に、基台２を貫通するように貫通孔２１ａ（切り欠き部２１ｂ、２１ｃも参照）が設けられた構成とすることにより、洗浄用ブラシ１内部の中空部４ａに浸入した洗浄水や洗浄液等を容易に排出することができる。従って、汚れやカビの発生を抑制することができ、清潔な状態を保持することが可能な頭皮毛穴洗浄用ブラシ１が実現できる。【００５２】
［頭皮毛穴洗浄用具］
本実施形態の頭皮洗浄用器具１０は、図６Ａ及び図６Ｂに示すように、上記本発明に係る頭皮毛穴洗浄用ブラシ１が備えられ、頭皮の毛穴洗浄に用いられるものであり、液温２５℃における粘度が１５Ｐａ・ｓ以上４０Ｐａ・ｓ未満の洗浄剤組成物５０を、頭皮毛穴洗浄用ブラシ１に備えられ、略一つの平面をなし、複数の毛束３を構成する用毛３１の先端部３１ａに保持した構成とされて用いられるものである。【００５３】
「洗浄剤組成物」
洗浄剤組成物５０を用毛３の先端部３１ａもしくは端面３１ｂに保持させることにより、用毛３１の先端部３１ａが頭皮毛穴に入り込む際に、より効果的に毛穴内部の汚れを除去することが可能となる。【００５４】
（保持時間）
洗浄剤組成物５０の具体的な保持時間としては、実用上不具合のない程度の時間で保持出来れば良いが、使用者が洗浄処理を行う場合の目安となる保持時間として、１０秒以上の時間で保持させることが好ましい。保持時間が１０秒以上であれば、用毛３１の先端部３１ａが頭皮毛穴に入り込む際に、洗浄剤組成物５０を伴って毛穴に入り込むので、毛穴内部を効果的に洗浄することができる。【００５５】
（粘度）
洗浄剤組成物５０を、用毛３１に１０秒以上の時間で保持させるためには、洗浄剤組成物５０の粘度を、１５Ｐａ・ｓ以上４０Ｐａ・ｓ未満の範囲とすることが、１０秒以上の保持時間が確実に得られる点から好ましく、１８Ｐａ・ｓ以上３０Ｐａ・ｓ未満の範囲とすることがより好ましい。
洗浄剤組成物５０の粘度が１５Ｐａ・ｓ未満だと、洗浄剤組成物５０が用毛３１の先端部３１ａに保持されず、直ぐに流下してしまう。また、洗浄剤組成物５０の粘度が４０Ｐａ・ｓ以上だと、使用時に洗浄用ブラシ１を傾けた際、洗浄剤組成物５０が用毛３１の先端部３１ａから固体状（ゲル状）のまま脱落してしまい、この場合も確実に保持することが困難となる。また、洗浄剤組成物５０の粘度が高すぎると、該洗浄剤組成物５０が頭皮表面において延び難いので、頭皮全体を均一に泡立てるような洗浄処理を行うことが困難となる。【００５６】
（組成）
洗浄剤組成物５０の粘度を、上述したような１５Ｐａ・ｓ以上４０Ｐａ・ｓ未満の範囲にするためには、アニオン性界面活性剤、両性界面活性剤、カチオン性界面活性剤、ノニオン性界面活性剤、ポリマー、あるいは無機塩の配合量及び配合比率を調整する方法がある。一例として、アニオン性界面活性剤と両性界面活性剤の合計量を１８ｗｔ％以上３５ｗｔ％未満、より好ましくは２０ｗｔ％以上３０ｗｔ％未満の範囲とするとともに、アニオン性界面活性剤と両性界面活性剤の比率を１／２〜５／１（ｗｔ％）の範囲、より好ましくは１／１〜３／１の範囲とすることにより、目的とする範囲の製剤粘度が得られるが、この限りではなく、上記範囲の粘度が得られる組成であれば、何れの組成も採用することが可能である。【００５７】
本実施形態の洗浄剤組成物５０に配合することができるアニオン性界面活性剤の代表例としては、ポリオキシアルキレンアルキルエーテル硫酸塩が挙げられ、１種を単独又は２種以上を適宜組み合わせて用いることができる。ポリオキシアルキレンアルキルエーテル硫酸塩としては、ポリオキシエチレンラウリルエーテル硫酸塩、ポリオキシエチレンアルキル（１２，１３）エーテル硫酸塩、ポリオキシエチレンアルキル（１１，１５）エーテル硫酸塩等が挙げられる。工業的に製造される原料にはポリオキシエチレンの付加モル数に幅があるが、０モル〜１５モル程度の分布の通常グレードのものや０モル〜７モル程度と比較的分布が狭いもののいずれも適している。このポリオキシエチレンの付加モル数の平均は１〜４の範囲のものが泡立ちや洗浄力の点で好適である。アルキル部分は、パーム核油やヤシ油由来のＰＧ１２１４、ＰＧ１２７０（Ｐ＆Ｇ社製）、石油由来のネオドール（登録商標：シェル社製）、サフォール（登録商標：サソール社製）等を使用したものがあり、いずれも問題なく使用できるが、環境問題等を考慮した場合、再生可能な植物が用いられてなる前者の天然植物由来のものが好ましい。また、製造方法としては、アルコールのエチレンオキサイド付加物を硫酸化した後に中和するのが一般的であるが、その品質を維持並びに向上させるため、不純物等を除去するためのトッピング処理、ハンドリング性を高めるための精製水添加による低濃度化並びに低粘度化、原料保存時の分解抑制のためのｐＨ緩衝剤（バッファー剤）の添加、ｐＨ調整のための酸やアルカリの添加、腐敗防止のための防腐剤の添加等の方法を採用した、何れの原料も使用することができる。塩としては、ナトリウム塩、アンモニウム塩、トリエタノールアミン塩等が挙げられる。【００５８】
本実施形態の洗浄剤組成物５０に配合することができる両性界面活性剤の代表例としては、ベタイン型両性界面活性剤が挙げられ、１種を単独又は２種以上を適宜組み合わせて用いることができる。アルキルベタイン系界面活性剤、アミドベタイン系界面活性剤、スルホベタイン系界面活性剤、ヒドロキシスルホベタイン系界面活性剤、アミドスルホベタイン系界面活性剤、ホスホベタイン系界面活性剤、イミダゾリニウムベタイン系界面活性剤等が挙げられる。より具体的には、例えば、Ｎ−デシルベタイン、セチルベタイン、ステアリルベタイン、ヤシ油アルキルベタイン、ラウリルジメチルアミノ酢酸ベタイン等のアルキルベタイン系界面活性剤、ヤシ油脂肪酸アミドプロピルベタイン、ラウリン酸アミドプロピルベタイン、ラウリン酸アミドメチルベタイン、ミリスチン酸アミドメチルベタイン、パルミチン酸アミドメチルベタイン、ステアリン酸アミドメチルベタイン等のアミドベタイン系界面活性剤、ヤシ油アルキルジメチルスルホプロピルベタイン、ステアリルジメチルスルホプロピルベタイン、ヤシ油アルキルアミノメチルスルホプロピルベタイン、ステアリルアミノメチルジメチルスルホプロピルベタイン、ミリスチルアミノメチルジメチルスルホプロピルベタイン等のスルホベタイン系界面活性剤、ラウリルヒドロキシスルホベタイン、ラウリルアミノメチル−ビス−（２−ヒドロキシエチル）−スルホプロピルベタイン等のヒドロキシスルホベタイン系界面活性剤、２−ヤシ油アルキル−Ｎ−カルボキシエチル−Ｎ−ヒドロキシエチルイミダゾリニウムベタイン、２−ラウリル−Ｎ−カルボキシメチル−Ｎ−ヒドロキシエチルイミダゾリニウムベタイン等のイミダゾリニウムベタイン系等が挙げられる。これらの中でも、ヤシ油アルキルベタイン、ヤシ油脂肪酸アミドプロピルベタイン、ラウリン酸アミドプロピルベタイン、ラウリルジメチルアミノ酢酸ベタインが好ましい。【００５９】
本実施形態の洗浄剤組成物５０に配合することができるカチオン性界面活性剤の代表例としては、塩化ステアリルトリメチルアンモニウム等のアルキルトリメチルアンモニウム塩、ジアルキルジメチルアンモニウム塩、アルキルアンモニウム塩、ベンザルコニウム塩、ベンゼトニウム塩、ピリジニウム塩、イミダゾリニウム塩等が挙げられる。これらのカチオン性界面活性剤の対イオン（陰イオン）としては、ハロゲンイオン等が挙げられる。
カチオン性界面活性剤の配合量は特に限定されないが、洗浄剤組成物５０中において０〜１０質量％の範囲が好ましく、より好ましくは０〜５質量％の範囲である。カチオン性界面活性剤の配合量が１０質量％を超えると、製剤粘度が低くなり、用毛３１の先端部３１ａに保持できなくなる虞がある。【００６０】
本実施形態の洗浄剤組成物５０に配合することができるノニオン性界面活性剤の代表例としては、ポリグリセリン脂肪酸エステルが挙げられ、モノラウリン酸デカグリセリル（ＨＬＢ１５．５）、モノオレイン酸デカグリセリル（ＨＬＢ１３．０〜１５．０）、モノステアリン酸デカグリセリル（ＨＬＢ１５．０）、モノイソステアリン酸デカグリセリル（ＨＬＢ１４．９）等が挙げられ、これらの中でもモノラウリン酸デカグリセリルが特に好ましい。また、これらの内の１種を単独又は２種以上を適宜組み合わせて用いることができる。シャンプー等を用いた頭皮の洗浄時、地肌の余分な皮脂や汚れは、指先で地肌を擦る等の物理的な力で大部分を除去することができる。しかしながら、頭皮の地肌全体を隅々まで洗うのは難しく、毛穴付近の汚れは指が行き届かないために落とし難いが、ノニオン性界面活性剤を配合することにより、余分な皮脂や汚れをより除去することができる。また、ＰＯＥ（２０）硬化ヒマシ油、ラウリン酸モノエタノールアミド等も粘度調整剤として配合できる。
ノニオン性界面活性剤の配合量は特に限定されないが、洗浄剤組成物５０中において０.１〜１０質量％の範囲が好ましく、より好ましくは１〜５質量％の範囲である。ノニオン性界面活性剤の配合量が０.１質量％未満では、皮脂除去力が弱くなる場合があり、一方、１０質量％を超えると製剤粘度が低くなり、用毛３１の先端部３１ａに保持できなくなる虞がある。【００６１】
本実施形態の洗浄剤組成物５０に配合することができるポリマーの代表例としては、糖骨格を有するカチオン化ポリマーが挙げられ、１種を単独又は２種以上を適宜組み合わせて用いることができる。具体的には、塩化Ｏ−［２−ヒドロキシ−３−（トリメチルアンモニオ）プロピル］ヒドロキシエチルセルロース（カチオン化セルロース）、塩化Ｏ−［２−ヒドロキシ−３−（トリメチルアンモニオ）プロピル］グァーガム（カチオン化グァーガム）、カチオン化タマリンドガム、カチオン化フェヌグリークガム、カチオン化タラガム、カチオン化ローカストビーンガム等が挙げられる。カチオン化セルロースとしては、レオガードシリーズ（ＧＰ、ＫＧＰ、ＬＰ、ＭＧＰ、ＭＬＰ）（登録商標：ライオン社製）、Ｕｃａｒｅ ｐｏｌｙｍｅｒシリーズ（ＪＲ−１２５、ＪＲ−４００、ＪＲ−３０Ｍ、ＬＲ−４００、ＬＲ−３０Ｍ）（登録商標：ダウケミカル社製）、カチナールＨＣ−１００（東登録商標：邦化学工業社製)が好ましい。なお、カチオン化グァーガムには透明に溶解するものと透明になりにくいグレードが販売されており、透明になるタイプであるラボールガムＣＧ−Ｍ８Ｍ（大日本住友製薬社製）、ジャガーエクセル（登録商標：ローディア社製）が最も適している。カチオン化タマリンドガムとしてはカチナールＣＴＭ−２００Ｓ（登録商標：東邦化学工業社製）、カチオン化フェヌグリークガムとしてはカチナールＣＦ−１００又はカチナールＣＦ−２００（登録商標：東邦化学工業社製）、カチオン化タラガムとしてはカチナールＣＴＲ−１００又はカチナールＣＴＲ−２００（登録商標：東邦化学工業社製）、カチオン化ローカストビーンガムとしてはカチナールＣＬ−２００（登録商標：東邦化学工業社製）が挙げられる。
ポリマーの配合量は特に限定されないが、通常は、洗浄剤組成物５０中において０〜３質量％の範囲であり、より好ましくは０〜１質量％の範囲である。ポリマーの配合量が３質量％を超えると、製剤粘度が高くなり、洗浄剤組成物を容器から取り出すのが困難になる。【００６２】
本実施形態の洗浄剤組成物５０に配合する無機塩としては、水に溶解する無機塩が好ましい。このような無機塩について、１種を単独又は２種以上を適宜組み合わせて用いることができる。具体的には、硫酸塩、塩酸塩等の塩類で、対イオンはナトリウム、カリウム、マグネシウム等や、硫酸水素ナトリウム等の部分中和塩が好ましい。特に、水への溶解度や経済性の点から、硫酸ナトリウム、塩化ナトリウムが好ましい。
無機塩の配合量は特に限定されないが、洗浄剤組成物５０中において０〜５質量％の範囲が好ましく、より好ましくは０〜３質量％の範囲である。無機塩の配合量が５質量％を超えると、製剤粘度が低くなり、用毛３１の先端部３１ａに保持できなくなる虞がある。【００６３】
また、任意成分としては、頭皮環境を正常に保つ作用を有する成分としてピロクトンオラミン、グリチルリチン酸ジカリウム、グリチルレチン酸、甘草抽出末、ジンクピリチオン等、頭皮の保湿効果が得られる成分として海藻エキス｛トロロコンブ属ガゴメコンブエキス：ＴａＫａＲａ海藻エキス（ＢＧ３０）（登録商標）：タカラバイオ（株）製、又は、紅藻エキス：ピュアポルフィラＦ  ＡＲ（登録商標）：（株）白子製｝、コレウスエキス、メリッサエキス、ゼニアオイエキス等、頭皮毛穴の汚れ落ち実感を高める効果のある成分として１−メントール、メンチルグリセリルエーテル、バニリルブチルエーテル、唐辛子エキス等、頭皮に適度な刺激感を与えるスクラブ剤としてポリエチレンビーズ、マイクロクリスタインワックスビーズ、アルミナ、軽石、シリカや木くず等、乾燥後の毛髪の風合いをよくするための成分として高重合ジメチルポリシロキサン、低重合ジメチルポリシロキサン、メチルフェニルポリシロキサン、ポリエーテル変性シリコーン、アモジメチコン（アミノエチルアミノプロピルシロキサン・ジメチルシロキサン共重合体）等のポリアミノ変性シリコーン、べタイン変性シリコーン、アルコール変性シリコーン、フッ素変性シリコーン、エポキシ変性シリコーン、メルカプト変性シリコーン、カルボキシ変性シリコーン、脂肪酸変性シリコーン、シリコーングラフトポリマー、環状シリコーン、アルキル変性シリコーン、トリメチルシリル基末端ジメチルポリシロキサン、シラノール基末端ジメチルポリシロキサン等を挙げることができ、これらの内の１種を単独又は２種以上を適宜組み合わせて使用することができる。また、シリコーン化合物としては、界面活性剤により乳化し、エマルション化したものも使用することができる。なお、このようなエマルションは、乳化剤や乳化方法に特に制限はなく、種々使用することができる。【００６４】
本実施形態の洗浄剤組成物５０で用いることができる溶剤としては、水、エタノール、イソプロパノール等の低級アルコール類、エチレングリコール、プロピレングリコール、グリセリン、ソルビトール、ポリエチレングリコール等の多価アルコール類、キレート剤としてＥＨＤＰ、ＥＤＴＡ等が挙げられ、その他にも、色素、香料、防腐剤、防黴剤等が挙げられ、これらを自由に配合することができる。【００６５】
本実施形態の洗浄剤組成物５０に香料を配合する場合、使用される香料としては、特開２００３−３００８１１号公報において段落［００２１］〜［００３５］に記載した香料成分等が挙げられ、さらに、同［００５０］に記載した香料用溶剤等が挙げられる。香料用溶剤は、香料組成物中において０．１〜９９質量％の範囲で配合されるが、好ましくは、１〜５０質量％の範囲である。また、香料安定化剤としては、ジブチルヒドロキシトルエン、ブチルヒドロキシアニソール、ビタミンＥとその誘導体、カテキン化合物、フラボノイド化合物、ポリフェノール化合物等が挙げられ、香料組成物中において０．０００１〜１０質量％の範囲で配合されるが、より好ましくは０．００１〜５質量％の範囲である。これらの中で、好ましい安定化剤としては、ジブチルヒドロキシトルエンが挙げられる。
ここで、上記した香料組成物とは、上述のような香料成分、溶剤、香料安定化剤等からなる混合物である。本実施形態の洗浄剤組成物５０中においては、上記香料組成物が０．００５〜４０質量％の範囲で配合されるが、より好ましくは０．０１〜１０質量％の範囲である。【００６６】
本実施形態の洗浄剤組成物５０は、従来公知の通常の方法に従って、上記必須成分、任意成分及び水（残部、好適には６０〜９０質量％の範囲）を混合し、各成分を混合撹拌することにより製造される。【００６７】
なお、本実施形態の洗浄剤組成物５０としては、上記組成の他、「ポリオキシアルキレンアルキルエーテル硫酸塩」としてポリオキシエチレンラウリルエーテル硫酸ナトリウム（２Ｅ．Ｏ．）、ポリオキシエチレンラウリルエーテル硫酸アンモニウム（２Ｅ．Ｏ．）、ポリオキシエチレンラウリルエーテル硫酸トリエタノールアミン、「ベタイン型両性界面活性剤」としてラウリン酸アミドプロピルベタイン、ヤシ油脂肪酸アミドプロピルベタイン、２−アルキル−Ｎ−カルボキシメチル−Ｎ−ヒドロキシエチルイミダゾリニウムベタイン、ヤシ油アルキルベタイン、「糖骨格を有するカチオン化ポリマー」としてカチオン化グァーガム、カチオン化セルロース、「無機塩」として硫酸ナトリウム、塩化ナトリウム、無水硫酸ナトリウム、「ポリグリセリン脂肪酸エステル」としてモノラウリン酸デカグリセリル、モノオレイン酸デカグリセリル、モノラウリン酸グリセリル、モノイソステアリン酸デカグリセリルの各々を適宜選択して配合し、さらに、任意成分として、ピロクトンオラミン、安息香酸ナトリウム、プロピレングリコール、１−メントール、ポリオキシエチレン硬化ヒマシ油（２０Ｅ．Ｏ．）、グリチルリチン酸ジカリウム、海藻エキス、バニリルブチルエーテル、香料組成物、及び水等の内から適宜選ばれる成分を、各々混合して用いることも可能である。【００６８】
以上説明したように、本実施形態の頭皮毛穴洗浄用具１０によれば、植毛面２１上において、植毛穴２２が密集する植毛領域Ａと無植毛領域Ｂとが各々配されてなる上記構成の頭皮毛穴洗浄用ブラシ１が備えられ、液温２５℃における粘度が１５Ｐａ・ｓ以上４０Ｐａ・ｓ未満の洗浄剤組成物５０を、頭皮毛穴洗浄用ブラシ１において略一つの平面をなす複数の毛束３の先端部、つまり用毛３１の先端部３１ａに保持した構成とされて用いられるものなので、洗浄剤組成物５０が用毛３１の先端部３１ａから流下するのが抑制され、洗浄剤組成物５０を確実に保持することができる。これにより、頭皮を洗浄する際の使用性が向上するとともに、頭皮毛穴内部の汚れ等を効果的に除去することが可能となる。
【実施例】
【００６９】
以下に、本発明の頭皮毛穴洗浄用ブラシ及び頭皮毛穴洗浄用具を実証するための実施例について説明するが、本発明は本実施例によって限定されるものではない。【００７０】
［頭皮毛穴洗浄用ブラシの作製］
以下の手順で、図３に示すような用毛を作製し、この毛束が植毛された基台を筐体に取り付けることにより、図１Ａ及び図１Ｂに示すような頭皮毛穴洗浄用ブラシのサンプルを作製した。【００７１】
（基台の作製）
まず、図１Ａ及び図１Ｂ中に示すような、７９．３×６４．３ｍｍの平面視略楕円形状とされ、厚さが８．７ｍｍの基台２上において、直径が１．５ｍｍの植毛穴２２を正方形状に四穴配置して１ユニットとし、計１８ユニット（植毛穴の合計数：７２穴）を配置した。この際、１ユニット内における任意の２箇所の植毛穴２２の中心間距離は、最短部距離Ｌ１で３ｍｍ、最長部距離Ｌ２で約４．２４ｍｍとし、また、最も近いユニット中心点間の最短中心点距離Ｌ３を９ｍｍ、次いで近い距離にあるユニット次短中心点距離Ｌ４を約１２．７ｍｍとした。
また、基台２上において、植毛面２１の略中央部に円形状の貫通孔２１ａを設け、また、植毛面２１の周縁部に円弧状の切り欠き部２１ｂ、２１ｃを設けることにより、これら切り欠き部２１ｂ、２１ｃと筐体４の開口部４１とからなる貫通孔が形成されるように構成した。また、各貫通孔の総面積は、植毛面２１の総面積に占める割合で１５％とした。【００７２】
（用毛の作製）
ポリブチレンテレフタレート（ＰＢＴ）とポリエチレンテレフタレート（ＰＥＴ）とが、ＰＢＴ：ＰＥＴ＝７：３の比で混合された樹脂材料が用いられてなる、直径１９０μｍの用毛の原糸を等寸法にカットし、規定温度に加温した高濃度ＮａＣｌ溶液中に浸漬して薬品加工を施す従来公知の方法を用い、両端部をテーパ状に加工することにより、図３に示すような頭皮毛穴洗浄用ブラシ用の用毛を得た。この際、用毛の毛先から０．１ｍｍの位置における毛径は２０μｍであった。【００７３】
（用毛の植毛）
そして、基台２の各植毛穴２２に、一穴あたり２１本の用毛３１を植毛することにより、核植毛穴２２に毛束３が取り付けられた状態とした。この際、用毛３１（毛束３）の毛丈は、基台２の植毛面２１から端面３１ｂまでの寸法の平均で、１２ｍｍ±０.５ｍｍの範囲とした。【００７４】
（頭皮毛穴洗浄用ブラシの作製）
上記手順で得られた、植毛面２１に複数の毛束３が植毛された基台２を、図１Ａ及び図１Ｂに示す筐体４の開口部４１に嵌め込んで一体に取付け、実施例１の頭皮毛穴洗浄用ブラシを得た。【００７５】
また、１ユニット当たりの植毛穴の穴数や各寸法を、下記表１及び図５Ａ〜図５Ｈ並びに図７Ａ、図７Ｂに示すような仕様とした点を除き、上記同様の手順によって実施例２〜１０、及び比較例１〜２の頭皮毛穴洗浄用ブラシを得た。【００７６】
［洗浄剤組成物の作製］
下記表２及び表３に示すような成分組成を有する組成例１〜９の洗浄剤組成物を、各々従来公知の方法で製造した。また、これら各成分組成を有する各例の粘度についても、下記表２及び表３中に記載した。
ここで、組成例１〜６の洗浄剤組成物は、製剤粘度が１５Ｐａ・ｓ以上４０Ｐａ・ｓ未満とされた洗浄剤組成物の本発明例（実施例）であり、組成例７〜９の洗浄剤組成物は、製剤粘度が本発明の規定範囲外とされた比較例である。
なお、上記各組成例の製剤粘度の測定では、化粧品原料基準第２法で規定される方法に従い、予め２５℃の温度に調整した製剤を、（株）東京計器製のブルックフィールド型粘時計（ＢＭ型）を用いて、Ｎｏ．４ローターにより、回転数６ｒｐｍで６０秒の処理を行った後の数値を製剤粘度の値とした。【００７７】
［評価方法］
上述のようにして得られた各実施例及び比較例の頭皮毛穴洗浄用ブラシを用いるとともに、また、各組成例の洗浄剤組成物を用い、「毛穴内部洗浄感」、「頭皮当たり心地」、「洗浄剤組成物の保持性」及び「排出性」について、以下の方法で評価した。
ここで、頭皮毛穴洗浄用ブラシの使用方法としては、各例の頭皮毛穴洗浄用ブラシの用毛先端部に、上記各組成例の洗浄剤組成物を約１０ｇ載せ、水で湿らせた頭髪と頭皮地肌全体に対し、約３分間、均一に洗浄用ブラシを動かして泡立てながら洗浄する方法とした。そして、通常のシャンプー等による洗浄処理と同様、お湯で頭髪及び頭皮全体をすすいだ後、頭髪を乾燥させた。
なお、「毛穴内部洗浄感」及び「頭皮当たり心地」の各官能評価試験におけるパネル（被験者）としては、頭髪が耳に少しかかる程度の長さで、所謂脱毛症等の状態が見られない男性パネル（ｎ＝３０名）を用い、同条件で評価を行なった。【００７８】
（毛穴内部洗浄感）
上記頭皮毛穴洗浄用ブラシの各サンプル（実施例１〜１０、比較例１〜２）について、下記表２に示す組成例１の洗浄剤組成物を用いて、各パネラー（ｎ＝３０名）が頭皮洗浄操作を行い、穴内部の洗浄感を良好と感じたパネラーの人数に応じて、以下に示すような４段階の基準で評価した。また、頭皮毛穴洗浄用ブラシの実施例１のサンプルを用い、下記表２に示す組成例１〜１０の洗浄剤組成物の各々を用いて同様の評価を行なった。
これらの評価結果について、下記表１〜３にそれぞれ示した。
（１）◎：良好と答えたパネラーが２５名以上（大きな効果あり）（２）○：良好と答えたパネラーが１５〜２４名（効果あり）（３）△：良好と答えたパネラーが５〜１４名（あまり効果なし）（４）×：良好と答えたパネラーが５名未満（効果なし）【００７９】
（頭皮当たり心地）
上記頭皮毛穴洗浄用ブラシの各サンプル（実施例１〜１０、比較例１〜２）について、下記表２に示す組成例１の洗浄剤組成物を用いて、各パネラー（ｎ＝３０名）が頭皮洗浄操作を行い、洗浄用ブラシ先端（用毛の先端部）の頭皮への当たり心地が良好と感じたパネラーの人数に応じて、以下に示すような４段階の基準で評価した。また、頭皮毛穴洗浄用ブラシの実施例１のサンプルを用い、下記表２に示す組成例１〜９の洗浄剤組成物の各々を用いて同様の評価を行なった。
これらの評価結果について、下記表１〜３にそれぞれ示した。
（１）◎：良好と答えたパネラーが２５名以上（大きな効果あり）（２）○：良好と答えたパネラーが１５〜２４名（効果あり）（３）△：良好と答えたパネラーが５〜１４名（あまり効果なし）（４）×：良好と答えたパネラーが５名未満（効果なし）【００８０】
（洗浄剤組成物の保持性）
上記頭皮毛穴洗浄用ブラシの各サンプル（実施例１〜１０、比較例１〜２）について、下記表２に示す組成例１の洗浄剤組成物を用毛の先端部に載せ、この状態で保持できる時間を計測して、以下に示すような４段階の基準で評価した。また、頭皮毛穴洗浄用ブラシの実施例１のサンプルを用い、下記表２に示す組成例１〜９の洗浄剤組成物の各々を用いて同様の評価を行なった。
これらの評価結果について、下記表１〜３にそれぞれ示した。
（１）◎：保持時間が１０秒以上（充分保持できる：大きな効果あり）（２）○：保持時間が５秒以上１０秒未満（保持できる：効果あり）（３）△：保持時間が３秒以上５秒未満（やや保持性に劣る：あまり効果なし）（４）×：保持時間が３秒未満（保持できない：効果なし）【００８１】
（排出性）
頭皮毛穴洗浄用ブラシの実施例１のサンプルを用い、下記表２に示す組成例１〜９の洗浄剤組成物の各々を用いて、まず、上述のような頭皮洗浄操作を行った。そして、洗浄用ブラシの基台側を下方に向けることにより、内部に浸入した洗浄水及び洗浄剤組成物を、基台に形成された貫通孔から排出させ、内部に残留する洗浄水及び洗浄剤組成物の有無並びに残量を目視確認し、以下に示すような４段階の基準で評価した。
これらの評価結果について、下記表２〜３にそれぞれ示した。
（１）◎：特別な操作を行うことなく完全に排出できる（大きな効果あり）（２）○：簡単な操作で容易に完全に排出できる（効果あり）（３）△：完全に排出できるが操作に手間がかかる（あまり効果なし）（４）×：排出が非常に困難である（効果なし）【００８２】
頭皮毛穴洗浄用ブラシの各サンプルにおける植毛穴配置仕様並びに評価結果を表１に示すとともに、組成例１〜５及び７〜９の成分組成並びに評価結果を表２に示し、また、組成例６の成分組成並びに評価結果を表３に示す。【００８３】
【表１】
2008143131.tif 000003
【００８４】
【表２】
2008143131.tif 000004
【００８５】
【表３】
2008143131.tif 000005
【００８６】
［評価結果］
上記表１〜３に記載の結果に示すように、植毛面上において用毛（毛束）が適正に配置され、本発明で規定するように、毛束が密集する植毛領域と無植毛領域とが各々配されてなる実施例１〜１０の頭皮毛穴洗浄用ブラシは、上記「毛穴内部洗浄感」及び「頭皮当たり心地」の各官能試験における評価が、何れも「◎」又は「○」の評価結果となり、優れた洗浄感と使用時の心地よさが得られることが明らかとなった。
また、組成例１の洗浄剤組成物を、実施例１〜１０の頭皮毛穴洗浄用ブラシの用毛先端部に載せて行なった保持性の評価においても、何れのサンプルも「◎」又は「○」の評価結果となり、洗浄剤組成物の保持性に優れていることが明らかとなった。【００８７】
また、本発明で規定する範囲の製剤粘度特性を有する組成例１〜６の洗浄剤組成物は、上記実施例１の頭皮毛穴洗浄用ブラシのサンプルを用いた試験において、上記「毛穴内部洗浄感」の官能試験による評価が、何れも「◎」又は「○」の評価結果となり、優れた洗浄感が得られることが明らかとなった。
同様に、組成例１〜６の洗浄剤組成物を、実施例１の頭皮毛穴洗浄用ブラシの用毛先端部に載せて行なった保持性の評価においても、何れのサンプルも「◎」又は「○」の評価結果となり、洗浄剤組成物の保持性に優れていることが明らかとなった。
また、実施例１の頭皮毛穴洗浄用ブラシを用いた排出性の評価においても、本発明の実施例である組成例１〜６の洗浄剤を用いた全ての試験において、「◎」又は「○」の評価結果となり、内部の洗浄水及び洗浄剤組成物の排出性に優れていることが明らかとなった。実施例１の頭皮毛穴洗浄用ブラシは、植毛面の総面積に対する貫通孔の総面積の割合が、１５％とされており、筐体の内部に浸入した線浄水及び洗浄剤組成物を効率良く排出することができた。【００８８】
これに対し、植毛面上において植毛穴がユニット単位とされず、等間隔で疎らに配された比較例１の頭皮毛穴洗浄用ブラシは、上記「毛穴内部洗浄感」及び「頭皮当たり心地」の各官能試験における評価が、何れも「×」の評価結果となった。
また、植毛面上において植毛穴がユニット単位とされず、等間隔で密に配された比較例２の頭皮毛穴洗浄用ブラシは、上記「毛穴内部洗浄感」及び「頭皮当たり心地」の各官能試験における評価が、何れも「×」の評価結果となった。
なお、組成例１の洗浄剤組成物を、比較例１の頭皮毛穴洗浄用ブラシの用毛先端部に載せて行なった保持性の評価においても「×」の評価結果となったが、比較例２の頭皮毛穴洗浄用ブラシでは、植毛面上において植毛穴が密に配され、毛束が密に植毛されていることから、保持性の評価については「◎」の評価結果となっている。【００８９】
また、製剤粘度特性が２Ｐａ・ｓと、本発明の規定範囲を下回る組成例７の洗浄剤組成物は、上記実施例１の頭皮毛穴洗浄用ブラシのサンプルを用いた試験において、排出性については「◎」の評価結果だったものの、上記「毛穴内部洗浄感」の官能試験による評価が「△」であり、洗浄剤組成物の保持性については「×」の評価結果となった。
また、製剤粘度特性が９Ｐａ・ｓと、本発明の規定範囲を下回る組成例８の洗浄剤組成物は、上記実施例１の頭皮毛穴洗浄用ブラシのサンプルを用いた試験において、排出性については「◎」であり、上記「毛穴内部洗浄感」の官能試験による評価が「○」の評価結果だったものの、洗浄剤組成物の保持性については「×」の評価結果となった。
また、製剤粘度特性が５０Ｐａ・ｓと、本発明の規定範囲を超える組成例８の洗浄剤組成物は、上記実施例１の頭皮毛穴洗浄用ブラシのサンプルを用いた試験において、洗浄剤組成物の保持性については「◎」の評価結果だったものの、上記「毛穴内部洗浄感」の官能試験及び排出性については「×」の評価結果となった。【００９０】
以上の結果により、本発明の頭皮毛穴洗浄用ブラシ及び頭皮毛穴洗浄用具が、頭皮のマッサージ効果と毛穴内部の洗浄効果の両方を同時に満足することができ、また、使用性に優れていることが明らかとなった。
【産業上の利用可能性】
【００９１】
本発明の頭皮毛穴洗浄用ブラシによれば、植毛面上において、毛束の先端部が略一つの平面をなしており、且つ、植毛穴が密集する植毛領域と無植毛領域とが各々配されてなる構成により、頭皮に適度な刺激感が与えられるので、植毛穴、つまり複数の毛束が基台上において均等に分布された場合に比べ、高いマッサージ効果が得られるとともに、高い頭皮毛穴洗浄効果が得られる。
また、中空状に形成された筐体の開口部に上記基台が一体に取り付けられ、植毛面の略中央部及び／又は周縁部に、基台を貫通するように少なくとも一以上の貫通孔が設けられた構成とすることにより、内部に浸入した洗浄水や洗浄液を容易に排出することができるので、汚れやカビの発生を抑制することができ、清潔な状態を保持することが可能な頭皮毛穴洗浄用ブラシが実現できる。
また、本発明の頭皮毛穴洗浄用具によれば、植毛面上において、植毛穴が密集する植毛領域と無植毛領域とが各々配されてなる上記構成の頭皮毛穴洗浄用ブラシが備えられ、液温２５℃における粘度が１５Ｐａ・ｓ以上４０Ｐａ・ｓ未満の洗浄剤組成物を、頭皮毛穴洗浄用ブラシにおいて略一つの平面をなす複数の毛束の先端部に保持した構成とされて用いられるものなので、洗浄剤組成物が毛束の先端部から流下するのが抑制され、使用性が向上するとともに、頭皮毛穴内部の汚れ等を効果的に除去することが可能となる。
【図１Ａ】
2008143131.tif 000006
【図１Ｂ】
2008143131.tif 000007
【図２】
2008143131.tif 000008
【図３】
2008143131.tif 000009
【図４】
2008143131.tif 000010
【図５Ａ】
2008143131.tif 000011
【図５Ｂ】
2008143131.tif 000012
【図５Ｃ】
2008143131.tif 000013
【図５Ｄ】
2008143131.tif 000014
【図５Ｅ】
2008143131.tif 000015
【図５Ｆ】
2008143131.tif 000016
【図５Ｇ】
2008143131.tif 000017
【図５Ｈ】
2008143131.tif 000018
【図６Ａ】
2008143131.tif 000019
【図６Ｂ】
2008143131.tif 000020
【図７Ａ】
2008143131.tif 000021
【図７Ｂ】
2008143131.tif 000022
【国際調査報告】
2008143131.tif 000023
2008143131.tif 000024